(57)【要約】【課題】蝶番などにより回動可能に設けられた回転式ドアに関するもので、特に、回転式ドアを押し開けた際に、そのドアの向こう側に人が居た場合、ドアに激突する危険性を除去する具体的手段を提供する。【解決手段】回転式ドア４の回転方向の面に、その面側に物体があるか否かを検知する検知センサ６を設け、他方の面側に前記検知センサ６の検知情報を表示する発光体２を設けたことを特徴とする。【選択図】  図１
2004225422.tif 000002
【特許請求の範囲】
【請求項１】
回転式ドアの回転方向の面に、その面側に物体があるか否かを検知する検知センサを設け、他方の面側に前記検知センサの検知情報を表示する表示装置を設けたことを特徴とする回転式ドア。
【請求項２】
前記表示装置は発光体であることを特徴とする請求項１記載の回転式ドア。
【請求項３】
所定の明るさ以下になったことを検知する光センサをドアに設けるとともに、前記発光体をノブに設け、前記光センサの検知情報を前記検知センサの検知情報の表示とは異なる表示モードで前記発光体を点灯することを特徴とする請求項２に記載の回転式ドア。
【請求項４】
前記検知センサおよび前記表示装置は、ドアに設けられたソーラバッテリにより駆動されていることを特徴とする請求項１記載の回転式ドア。
【発明の詳細な説明】
【０００１】
【発明の属する技術分野】
本発明は、蝶番などにより回動可能に設けられた回転式ドアに関するもので、特に、回転式ドアを押し開けた際に、そのドアの向こう側に人が居た場合、ドアに激突する危険性を除去する具体的手段を提供するものである。
【０００２】
【従来の技術】
従来、ドアがロック状態であるか否かをドアのノブ近傍に設けた発光体により表示したもの（例えば、特許文献１参照。）、あるいは夜間ドアの鍵穴の位置が分かりにくいために、ノブにタッチセンサおよび発光体を設け、ノブにさわることにより鍵穴を照らす構造にしたもの（例えば、特許文献２参照。）など、ドアに発光体を設け、ドアの状態あるいは必要時に鍵穴自体を照明するものは考えられていた。
【０００３】
【特許文献１】
実公平７−１０９６５号公報
【特許文献２】
登録実用新案第３０５０２６９号公報
【０００４】
【発明が解決しようとする課題】
しかしながら、ドアの近傍の状態、すなわち、ドアの向こう側に人やものがあるか否かを表示するものは考えられていない。ドアの向こう側が見えない不透明な回転式ドアの場合、ドアの向こう側に人が居る状態で、ドアを急激にその方向に開くとドアと衝突することがある。特に、老人など運動機能の低下した人の場合、非常に危険なものである。
【０００５】
【課題を解決するための手段】
前記課題を解決するために、本発明の回転式ドアは、回転式ドアの回転方向の面に、その面側に物体があるか否かを検知する検知センサを設け、他方の面側に前記検知センサの検知情報を表示する表示装置を設けたことを特徴とするものであり、ドアの向こう側に人などが居た場合には、表示装置によりその旨表示されるため、急激にドアを開けることのないものである。
【０００６】
【発明の実施の形態】
本発明の請求項１記載の発明は、回転式ドアの回転方向の面に、その面側に物体があるか否かを検知する検知センサを設け、他方の面側に前記検知センサの検知情報を表示する表示装置を設けたことを特徴とする回転式ドアであり、ドアの向こう側に人などが居た場合には、表示装置によりその旨表示されるため、急激にドアを開けることのないものである。
本発明の請求項２記載の発明は、前記表示装置が発光体であることを特徴とする請求項１記載の回転式ドアであり、表示装置が発光体であり、視覚によるものであるため、ドアを開ける人以外の人に騒音などの悪影響を与えることもないものである。
本発明の請求項３記載の発明は、所定の明るさ以下になったことを検知する光センサをドアに設けるとともに、前記発光体をノブに設け、前記光センサの検知情報を前記検知センサの検知情報の表示とは異なる表示モードで前記発光体を点灯することを特徴とする請求項２に記載の回転式ドアであり、ドアの周囲が暗くなると自動的に発光体によりドアのノブの位置が表示されるため、好都合なものである。
【０００７】
本発明の請求項４記載の発明は、前記検知センサおよび前記表示装置は、ドアに設けられたソーラバッテリにより駆動されていることを特徴とする請求項１記載の回転式ドアであり、ドアに設けられたソーラバッテリにより駆動されるため、回転駆動するドアに外部より電源を供給する必要が無くなるものである。
【０００８】
（実施の形態）
以下に、本発明の請求項１ないし４に記載された発明の実施形態について、図１および図２を用いて説明する。
【０００９】
図１は本発明の実施形態の回転式ドアのノブ近傍を示す斜視図であり、図２は同側断面図である。図１，２において、１は所定の角度回動することによりドアが解放可能となるノブであり、そのノブ１には複数個のＬＥＤなどの発光体２が設けられている。３は前記ノブ１をドア４に固定するための金具であり、その表面には光を受けて発電および蓄電するソーラバッテリ５が設けられている。
【００１０】
さらに、この金具３には、前方に人などの物体の有無を検知する検知センサ６と周囲が所定の明るさ以下に成ったことを検知する光センサ７が設けられており、図２に示すようにドア４の両側にそれぞれ設けられている。
【００１１】
そして、前記検知センサ６により、物体の存在が検知された場合には、その検知情報により、ドア４の反対側の前記発光体２を点滅するよう構成されている。すなわち、ドア４の前に人などの物体があることを、ドア４の反対側の発光体２を点滅することにより、ドアを開ける人に注意を促すように構成されている。
【００１２】
また、前記光センサ７がノブ１の存在も不明なような所定の明るさ以下になったことを検知した場合には、前記発光体２を前記検知センサ６の検知情報に基づく表示より異なる表示モードで、たとえば連続点灯するように構成し、ドアおよびノブ１の位置を明示するように構成されている。もちろん、光センサ７の検知情報に基づく表示より危険を表示する検知センサ６の検知情報に基づく表示が優先されるように構成されている。
【００１３】
これら発光体２、検知センサ６および光センサ７は前記ソーラバッテリ５に蓄えられた電源により駆動されている。
【００１４】
なお、以上の実施の形態においては、ドア４の両側に同一の構成の金具３を設けた場合を示したが、たとえば、ドア４が一方方向のみにしか開かない構成のものでは、ドアの開く側の金具３にのみ検知センサ６を設け、その反対側の他方の金具３に設けられた発光体２を駆動するなど必要に応じて種々の組み合わせが考えられる。
【００１５】
さらに、前記検知センサ６の検知情報の表示手段として、発光体２を用いたがブザーなど聴覚によるものに代えることもできる、この場合、検知時にブザーが常時鳴っているのは不都合なので、ノブに人が触ったことを感知かるセンサを設けるとか前記検知センサ６の検知出力を利用して、人がノブに触った際、あるいはドアに近づいた際のみ、反対側の検知センサ６の検知出力をブザーで知らせるようにしても良い。
【００１６】
【発明の効果】
以上のように本発明によれば、回転式ドアを開けた際に、そのドアが人などに激突する事態を避けることができるものである。
【図面の簡単な説明】
【図１】本発明の実施の形態における回転式ドアのノブ近傍を示す斜視図
【図２】同回転式ドアのノブ近傍を示す側断面図
【符号の説明】
１  ノブ
２  発光体
３    金具
４    ドア
５  ソーラバッテリ
６  検知センサ
７  光センサ
【図１】
2004225422.tif 000003
【図２】
2004225422.tif 000004